(57)【要約】      （修正有）【課題】差出人が隠蔽作業をする手間が簡単で、製作コストが低廉な隠蔽ハガキ付き封筒を提供する。【解決手段】封筒６０の裏側紙６２に設けられたハガキ本体部６７及び受取人表示片６８と、前記封筒の表側紙に設けられた被覆片とからなり、ハガキ本体部６７は、その端部を封筒の端部に合わせ且つ表面に差出人の個人情報記入用領域７３が印刷されており、受取人表示片６８はハガキ本体部に折り目を介して連接し、且つ前記ハガキ本体部の裏面に折り重ねられて貼着可能に構成されており、被覆片はハガキ本体部の端部に連接し、且つ個人情報記入用領域７３を覆うように構成された隠蔽ハガキを備えた隠蔽ハガキ付き封筒。【選択図】図７
0003147992.tif 000002
【実用新案登録請求の範囲】
【請求項１】
封筒の裏側紙に設けられたハガキ本体部及び受取人表示片と、前記封筒の表側紙に設けられた被覆片とからなる隠蔽ハガキを備えた封筒であって、
前記ハガキ本体部は、その端部を前記封筒の端部に合わせ且つ表面に差出人の個人情報記入用領域が印刷されており、
前記受取人表示片は、前記ハガキ本体部に折り目を介して連接すると共に受取人の表示が表面に印刷されており、且つ前記ハガキ本体部の裏面に折り重ねられて貼着可能に構成されており、
前記被覆片は、前記ハガキ本体部の前記端部に連接し、且つ前記端部によって前記個人情報記入用領域を覆うように前記ハガキ本体部に折り重ねられて貼着されるように構成された隠蔽ハガキを備えたことを特徴とする隠蔽ハガキ付き封筒。
【請求項２】
定形郵便物として郵送可能な封筒であり、この封筒の裏側紙に、
受取人の表示及び差出人の個人情報を記入するための個人情報記入用領域が印刷されたハガキ本体部と、前記ハガキ本体部に折り目を介して連接された被覆片とからなり、
前記被覆片は、前記個人情報記入用領域を覆うように前記折り目によって前記ハガキ本体部に折り重ねられて貼着される隠蔽ハガキが、印刷されていることを特徴とする隠蔽ハガキ付き封筒。
【考案の詳細な説明】
【技術分野】
【０００１】
本考案は隠蔽ハガキ付き封筒に関する。
【背景技術】
【０００２】
ハガキに記入された差出人の氏名、住所等のいわゆる個人情報は、ハガキの投函後受取人の手元に達するまでの間第三者に読み取られて漏洩しないようにすることが近時しばしば要望されている。
そのため、そのような要望に応えるため例えば特開２００４−９０３２５号公報（特許文献１）に示されるような隠蔽ハガキが提案されている。
【特許文献１】特開２００４−９０３２５号公報
【考案の開示】
【考案が解決しようとする課題】
【０００３】
しかしながら、従来の隠蔽ハガキは、ハガキ本体部と隠蔽片が別体の要素として構成されているため、差出人が隠蔽作業をする際の手間がかかるうえ、部品管理の手間もかかることから製作コストが高くなるという問題があった。また、ハガキは、通信販売の際の返信注文ハガキとして広告チラシ、新聞に同時に刷り込まれる場合があるが、前述のようにハガキ本体部と隠蔽片が別体の要素として構成されているような隠蔽ハガキは、広告チラシ、新聞に同時に刷り込むことは実際的ではないという問題がある。
【０００４】
本考案の目的は、差出人が隠蔽作業をする手間が簡単な隠蔽ハガキを備え且つ封筒と併せての製作コストも低廉であり、更に、封筒を構成する紙資源の節約及び廃棄ゴミの減少にも資するような隠蔽ハガキ付き封筒を提供することである。
【課題を解決するための手段】
【０００５】
前記の目的を達成する第一の手段として、封筒の裏側紙に設けられたハガキ本体部及び受取人表示片と、前記封筒の表側紙に設けられた被覆片とからなる隠蔽ハガキを備えた封筒であって、前記ハガキ本体部は、その端部を前記封筒の端部に合わせ且つ表面に差出人の個人情報記入用領域が印刷されており、前記受取人表示片は、前記ハガキ本体部に折り目を介して連接すると共に受取人の表示が表面に印刷されており、且つ前記ハガキ本体部の裏面に折り重ねられて貼着可能に構成されており、前記被覆片は、前記ハガキ本体部の前記端部に連接し、且つ前記端部によって前記個人情報記入用領域を覆うように前記ハガキ本体部に折り重ねられて貼着されるように構成された隠蔽ハガキを備えたことを特徴とする隠蔽ハガキ付き封筒である。
第二の手段として、定形郵便物として郵送可能な封筒であり、この封筒の裏側紙に、  受取人の表示及び差出人の個人情報を記入するための個人情報記入用領域が印刷されたハガキ本体部と、前記ハガキ本体部に折り目を介して連接された被覆片とからなり、前記被覆片は、前記個人情報記入用領域を覆うように前記折り目によって前記ハガキ本体部に折り重ねられて貼着される隠蔽ハガキが、印刷されていることを特徴とする隠蔽ハガキ付き封筒である。
【考案の効果】
【０００６】
本考案によれば、前述の第一の手段として記載した構成によって、差出人が隠蔽作業をする手間が簡単な隠蔽ハガキを備え且つ封筒と併せての製作コストも低廉であり、更に、封筒を構成する紙資源の節約及び廃棄ゴミの減少にも資するような隠蔽ハガキ付き封筒を提供することができる。
また、前述の第二の手段として記載した構成によって、差出人が隠蔽作業をする手間が簡単な隠蔽ハガキを備え且つ定形封筒と併せての製作コストかつ郵送料も低廉であり、更に、封筒を構成する紙資源の節約及び廃棄ゴミの減少にも資するような隠蔽ハガキ付き封筒を提供することができる。
【考案を実施するための最良の形態】
【０００７】
本考案を実施するための最良の形態は隠蔽ハガキ付き封筒として次のように構成されたものである。即ち、この隠蔽ハガキ付き封筒は、裏側紙に設けられたハガキ本体部及び受取人表示片と、封筒の表側紙に設けられた被覆片とからなる隠蔽ハガキを備えたものである。
より詳しく述べれば、前記ハガキ本体部は、その端部を前記封筒の端部に合わせ且つ表面に差出人の個人情報記入用領域が印刷されており、前記受取人表示片は、前記ハガキ本体部に、その端部と平行な折り目を介して連接すると共に受取人の表示が表面に印刷されており、且つ前記ハガキ本体部の裏面に折り重ねられて貼着可能に構成されており、前記被覆片は、前記ハガキ本体部の前記端部に連接し、且つ前記端部によって前記個人情報記入用領域を覆うように前記ハガキ本体部に折り重ねられて貼着されるように構成されたものである。
【０００８】
このような実施の形態によれば、封筒本体の一部から隠蔽ハガキを形成することができるから極めて便利であるうえ、紙資源の節約及び廃棄ゴミの減少化が可能になり、環境保護の面からも有効である。
【０００９】
以下、前記の実施の形態をも含めて、本考案の実施例を図面を参照しながら説明する。図中、符号Ｂ及びＤは、バーコードである。また切り取り線は、ミシン目で構成したものを含むものとする。
【実施例１】
【００１０】
図１は本考案の実施例１に係る隠蔽ハガキの正面図、図２は前記隠蔽ハガキにおける被覆片を折り返した状態を示す正面図である。
図１に示すように、符号１で表される本考案の隠蔽ハガキは、ハガキ本体部２と、ハガキ本体部２に折り目３を介して連接する被覆片５とからなっている。
【００１１】
ハガキ本体部２には、受取人の表示６及び差出人の個人情報を記入するための個人情報記入用領域７が同一の面（表面）に印刷されている。この個人情報記入用領域７は、ここでは、被覆片５内にまで延長されて記入用領域が拡張されている。
また、前記の受取人の表示６、個人情報記入用領域７あるいは後記の通信欄１７を同一の面（表面）に印刷せずに、これらの一部を裏面に印刷することもできる。
【００１２】
被覆片５の三つの辺１１、１２及び１３と被覆片５における個人情報記入用領域７との間は糊代１４となっている。従って、被覆片５は、図２に示すように、折り目３によってハガキ本体部２に折り重ねられて個人情報記入用領域７を覆った状態で、糊代１４に塗布された糊によってハガキ本体部２に貼着されるようになっている。
【００１３】
なお、受取人の表示６と個人情報記入用領域７との間には、それ自体では個人情報ではない適宜の内容が記入される通信欄１７が設けられているが、この通信欄１７はハガキ本体部２において被覆片５によって覆われる範囲の外側にある。
【００１４】
このように構成された隠蔽ハガキ１は、一枚の紙材からハガキ本体部２と被覆片５とが連接して一体に構成されているので、差出人は被覆片５をハガキ本体部２に折り重ねて貼るだけで手間をかけずに自己の個人情報を他人に読み取られない状態にして郵送でき、個人情報の非関係者への漏洩が防止される。
また、この隠蔽ハガキ１は、紙材の一つの面に受取人の表示６、個人情報記入用領域７、更に必要に応じて設けられる通信欄１７を印刷した場合は、両面を印刷する場合に比べて製作コストが低廉になる。
【実施例２】
【００１５】
図３は本考案の実施例２に係る隠蔽ハガキ付き広告チラシの要部正面図である。この実施例において、前記実施例１に示した要素と同一の要素には同一の符号を付すものとする。
【００１６】
同図に示すように、本実施例の隠蔽ハガキ付き広告チラシ２０は、例えば商品の通信販売を目的とする広告掲載面２１に、前述の実施例１において記載した構成を有する隠蔽ハガキ１が印刷されたものである。ここでは、隠蔽ハガキ１は、その左側及び下側の各辺２２、２３が広告掲載面２１の隅部の辺２４、２５を兼ねて配置されている。また、隠蔽ハガキ１の他の辺即ち右側及び上側の各辺２６、２７は広告掲載面２１から隠蔽ハガキ１を切り離すための切り取り線を兼ねている。
【００１７】
隠蔽ハガキ付き広告チラシ２０は、このように構成されているので、広告の閲覧者である差出人が広告掲載面２１を見て、例えば詳細カタログの入手を希望するときは、辺２６、２７に沿って広告掲載面２１と隠蔽ハガキ１とを切り離すだけで隠蔽ハガキ１を返信ハガキとして使用することができる。そして、個人情報記入用領域７及び必要に応じて通信欄１７に所要の事項を記入した後、被覆片５をハガキ本体部２に折り重ねて貼った状態で隠蔽ハガキ１を郵送すれば、差出人の個人情報の非関係者への漏洩が防止される。
【００１８】
この隠蔽ハガキ付き広告チラシ２０においても、ハガキ本体部２と被覆片５とが連接して一体になっているので、差出人は被覆片５をハガキ本体部２に折り重ねて貼るだけで手間をかけずに個人情報を隠蔽することができる。また、広告チラシ２０の一方の面に広告掲載面２１及び隠蔽ハガキ１を印刷することにより、製作コストが低廉である。
また、前記実施例１と同じように、受取人の表示６、個人情報記入用領域７あるいは通信欄１７を同一の面（表面）に印刷せずに、それらの一部を裏面に印刷することもできる。
【実施例３】
【００１９】
図４は本考案の実施例３に係る隠蔽ハガキ付き新聞の要部正面図、図５は前記隠蔽ハガキ付き新聞における隠蔽ハガキの一部を折り返した状態を示す図、図６は前記隠蔽ハガキ付き新聞における隠蔽ハガキの全部を折り返した状態を示す図である。
【００２０】
図４に示すように、この実施例は、隠蔽ハガキが新聞の一つの面に印刷されている隠蔽ハガキ付き新聞３０に係るものである。即ち、隠蔽ハガキ３１は、その左辺３２及び下辺３３を新聞３０の一つの面３５の隅部の左辺３６及び下辺３７に合わせた形で新聞３０の一部に配置されており、第一のハガキ本体部３９と、第二のハガキ本体部４０と、被覆片４１とからなっている。
【００２１】
より詳しく述べると、第一のハガキ本体部３９には、その下部側に、差出人の個人情報を記入するための個人情報記入用領域４２が印刷されている。この個人情報記入用領域４２は後述するように被覆片４１によって覆われる部位に位置している。この個人情報記入用領域４２の上方にはそれ自体では個人情報とされない内容を記入する通信欄４３が印刷されている。
【００２２】
第二のハガキ本体部４０は、第一のハガキ本体部３９と同一の形状及び寸法からなっており、前記第一のハガキ本体部３９に第一の折り目４４を介して連接しており、且つ、第一のハガキ本体部３９と同じ側の面に受取人の表示４５が印刷されている。
被覆片４１は、前述の個人情報記入用領域４２を覆うための要素で、この目的に適した形状及び寸法を有し、第二のハガキ本体部４０に第二の折り目４７を介して連接し、且つ、図５に示すように、第一のハガキ本体部３９及び第二のハガキ本体部４０の前記各面が外側となるように前記第一の折り目４４を介して折り重ねられた後、図６に示すように、第二の折り目４７を介して第一のハガキ本体部３９の表面側に回り込んで第一のハガキ本体部３９に折り重ねられて個人情報記入用領域４２を覆った状態で第一のハガキ本体部３９に貼着されるようになっている。
【００２３】
この被覆片４１の表面即ち第一のハガキ本体部３９及び第二のハガキ本体部４０における前記各印刷面と同じ側の面には、スペースを有効に活用するために、例えば、受取人の業務、標語、シンボルマーク等の適宜の文言等４９が印刷されている。
また、第一のハガキ本体部３９、第二のハガキ本体部４０及び被覆片４１の各上辺５１、５２及び５３、並びに、第二のハガキ本体部４０の図中右辺のうち被覆片４１に連ならない部分の辺５５及び被覆片４１の図中右辺５６は、新聞３０から切り離すための切り取り線を兼ねている。
【００２４】
隠蔽ハガキ付き新聞３０は、このように構成されているので、新聞３０の読者である差出人が紙面中の広告文面を見て例えば何らかの商品の購入を希望するときは、辺５１、５２、５３、５５、５６に沿って新聞３０から切り離した隠蔽ハガキ３１を返信ハガキとして直ちに使用することができる。
【００２５】
その場合、まず、個人情報記入用領域４２及び必要に応じて通信欄４３に所要の事項を記入した後、第一の折り目４４によって第一のハガキ本体部３９と第二のハガキ本体部４０とを各印刷面が外側になるように折り重ねる。次いで、第二の折り目４７によって被覆片４１を第一のハガキ本体部３９の個人情報記入用領域４２側に折り重ねて貼着すれば、被覆片４１によって個人情報記入用領域４２が覆われる。この状態で隠蔽ハガキ１を郵送すれば、差出人の個人情報の非関係者への漏洩が防止される。
【００２６】
この実施例においても、第一のハガキ本体部３９は第二のハガキ本体部４０を介して被覆片４１に連接して一体になっているので、差出人は被覆片４１を第一のハガキ本体部３９に折り重ねて貼るだけで手間をかけずに個人情報を隠蔽することができる。また、第一のハガキ本体部３９、第二のハガキ本体部４０及び被覆片４１に施される印刷は全て同一面にあり、新聞３０の紙面と同時に印刷されるから、隠蔽ハガキ付きの新聞としての全体の製作コストが低廉で済む。
【実施例４】
【００２７】
図７は本考案の実施例４に係る隠蔽ハガキ付き封筒の背面図、図８は同隠蔽ハガキ付き封筒の正面図、図９は同隠蔽ハガキ付き封筒より切り取った隠蔽ハガキの正面図、図１０は同隠蔽ハガキ付き封筒における隠蔽ハガキの一部を折り返した状態を示す図、図１１は同隠蔽ハガキ付き封筒における隠蔽ハガキの全部を折り返した状態を示す図である。
【００２８】
図７、８に示すように、この実施例は、隠蔽ハガキ付き封筒に係るもので次のように構成されている。封筒６０は、一般に広く使用されている封筒と同じく表側紙６１及び裏側紙６２から形成されたもので、ここでは封筒規格の一つである角２０封筒（２２９ｍｍ×３２４ｍｍ）が使用されている。この封筒６０に設けられる隠蔽ハガキ６５は、裏側紙６２に設けられたハガキ本体部６７及び受取人表示片６８と、表側紙６１に設けられた被覆片７０とからなっている。
より詳しく述べると、ハガキ本体部６７の端部７１は裏側紙６２と表側紙６１との境界即ち封筒６０の図７中左側の端部７２に合致させている。差出人の個人情報を記入するための個人情報記入用領域７３は、封筒６０の裏側紙６２の表面において、ハガキ本体部６７の端部７１に寄せて印刷されており、その上方即ち図中右方には、それ自体では個人情報ではない通信欄７５が印刷されている。
前記の個人情報記入用領域７３、通信欄７５及び後記の受取人の表示７７の一部又は全部を裏側紙６２の裏面に印刷しても良い。この場合は、封筒６０の送信時にハガキ本体部６７が汚れることを防止できる。また、個人情報記入用領域７３を裏面に印刷し通信欄７５を表面に印刷すれば、通信欄７５の面積が大きく取れる。
【００２９】
前記の受取人表示片６８は、ハガキ本体部６７に、その端部７１と平行な折り目７６を介して連接しており、且つ受取人の表示７７が裏側紙６２の表面即ち個人情報記入用領域７３と同じ側の面に印刷されており、ハガキ本体部６７の裏面に折り重ねられて貼着されるようになっている。
【００３０】
ハガキ本体部６７は、このように受取人表示片６８を貼着した状態で、ハガキとして使用される訳であるが、その際受取人の表示７７は、ハガキの上部に位置するのが普通であるから、受取人表示片６８が未だ折り目７６によって折り返されていない状態のとき即ち図７の状態で見たときには、ハガキ本体部６７における個人情報記入用領域７３における記入方向及び通信欄７５における記載方向と天地が逆になるように、印刷されている。
【００３１】
そして、隠蔽ハガキ６５を構成しているハガキ本体部６７及び受取人表示片６８の図７中上下の切り取り線７９、８０は、これらを封筒６０の裏側紙６２から切り離すためのものであるが、下側の切り取り線８０は、後述する定形封筒８７の封止用舌片を形成するための役割をも果たすようにするため、封筒６０の裏側紙６２の底辺９１から、例えば定形寸法の１２ｃｍに舌片の高さを加えた間隔をおいて設けられている。
また、受取人表示片６８の図中右辺８２は、封筒６０の表側紙６１と裏側紙６２との境界であるが、同様に封筒６０から受取人表示片６８を切り離すための切り取り線を兼ねている。
【００３２】
一方、前記被覆片７０は、図８に示すように、ハガキ本体部６７の端部７１に連接している。被覆片７０の前記端部７１を除いた三辺８３、８４、８５は表側紙６１から被覆片７０を切り離すための切り取り線を兼ねており、その内側には糊代８６が設けられている。切り取り線として辺８３、８４、８５に沿って表側紙６１から切り離された被覆片７０は、端部７１を折り目としてハガキ本体部６７側に折り重ねられて個人情報記入用領域７３を覆った状態でハガキ本体部６７に貼着されるようになっている。
【００３３】
この封筒６０は、前記隠蔽ハガキ６５のほかに、次に述べるように横型の定形封筒８７も形成することができるようになっている。即ち、定形封筒形成用の表側紙８８は封筒６０の裏側紙６２を利用しており、受取人の表示８９が印刷されている。この定形封筒形成用の表側紙８８の横幅Ｗは封筒６０の横幅と一致していて、また表側紙８８の縦幅Ｈは封筒６０の底辺９１から定形寸法の１２ｃｍとしてある。そして、定形封筒形成用の表側紙８８の上辺９２は折り目となっており、その左右両端からは、左右の傾斜切り取り線９４、９５が延びて、切り取り線として使用される前述の下側の切り取り線８０に斜めに連なることにより定形封筒８７の封止用舌片９６が画成されている。
【００３４】
一方、封筒６０の表側紙６１の下部は、定形封筒形成用の裏側紙９８として利用されるもので、定形封筒形成用の表側紙８８と同一の形状、寸法、位置に設定され、その上辺９９は、定形封筒８７の開口部を形成するために、封筒６０の底辺９１から前述の折り目としての上辺９２と同一の距離である１２ｃｍの位置に切り取り線として設けられている。
【００３５】
隠蔽ハガキ付き封筒６０は、このように構成されているので、次のように使用することができる。例えば、商品の通信販売業者（本考案における受取人）が商品カタログを消費者（本考案における差出人）に送付し、消費者からの返信ハガキによる注文依頼がなされ、また、必要に応じて消費者からなんらかの資料が別途封筒によって通信販売業者に送付されるような場合に、前述した隠蔽ハガキ付き封筒６０は極めて有用なものである。
【００３６】
具体的に述べると、まず、通信販売業者がカタログを封入した隠蔽ハガキ付き封筒６０が、図８における封筒の表側紙６１に表示された宛て先１０１の消費者に送付され、消費者が何らかの商品の購入を希望するときは、隠蔽ハガキ６５を切り取り線としての辺７９、８０、８２、８３、８４、８５に沿って封筒６０から切り離す。切り離した状態の隠蔽ハガキ６５の被覆片７０は、図９に示すように、ハガキ本体部６７の一端から延びた状態にある。消費者は、購入希望商品に関する事項を通信欄７５に、また、自己の氏名等の個人情報を個人情報記入用領域７３に、それぞれ記入した後、図１０に示すように、被覆片７０を端部７１を折り目として個人情報記入用領域７３側に折り返してハガキ本体部６７に貼着する。
【００３７】
この場合でも、ハガキ本体部６７と被覆片７０とは連接して一体になっているので、差出人は被覆片７０をハガキ本体部６７に折り重ねて貼るだけで簡単に個人情報を隠蔽することができる。このようにして個人情報記入用領域７３に記入された個人情報は読み取られない状態になる。
【００３８】
次いで、図１１に示すように、受取人表示片６８を折り目としてのハガキ本体部６７の折り目７６に沿ってハガキ本体部６７の裏側に折り返して前記裏側に貼着すると、隠蔽ハガキは直ちに返信ハガキとして投函可能な形になり、且つ、消費者が差出人として投函した後に受取人たる通信販売業者以外の非関係者への個人情報の漏洩が防止される。
【００３９】
更に、消費者が前記通信販売業者宛に前記隠蔽ハガキ６５とは別に例えば何らかの書面を送付する必要があるときは、切り取り線としての辺８０、９９及び傾斜切り取り線９４、９５に沿って前述の定形封筒形成用の表側紙８８、裏側紙９８及び舌片９６を封筒６０から切り離して形成した定形封筒８７に前記書面を入れて舌片９６を裏側紙９８に糊付けする。受取人たる通信販売業者への宛て先８９は、定形封筒形成用の表側紙８８に予め印刷されているから、記入する必要がない。また、郵便料金は定形郵便料金で済むから好都合である。
【００４０】
この実施例から明らかな如く、返信用に使用される隠蔽ハガキ６５、更には、定形封筒８７は、往信として差出人に送付された封筒６０の表側紙６１及び裏側紙６２を利用して形成することができるので、紙資源の節約及び廃棄ゴミの減少に大いに貢献するものである。
さらに、本実施の他例として図示はしないが、ハガキ本体部６７を前記実施例１に記載の隠蔽ハガキ１と同様の構成とすることもできる。この場合は、受取人表示片６８、通信欄７５及び個人情報記入用領域７３に加えて、被覆片７０も封筒の裏側紙６２の同一面に構成されることになる。
【実施例５】
【００４１】
図１２は本考案の実施例５に係る隠蔽ハガキ付き封筒の正面図、図１３は同隠蔽ハガキ付き封筒の背面図、図１４は同隠蔽ハガキ付き封筒より切り取った隠蔽ハガキの背面図、図１５は同隠蔽ハガキ付き被覆片を折り返した状態を示す正面図である。
【００４２】
図１２、１３に示すように、この実施例の封筒１１０は、横型の定形封筒である。この封筒１１０に設けられる隠蔽ハガキ１２０は、裏側紙１１２の表面１１２ａに設けられ、ハガキ本体部１１３及び被覆片１２９とからなっている。
【００４３】
より詳しく述べると、隠蔽ハガキ１２０の端部１２２は裏側紙１１２と表側紙１１１との境界即ち封筒１１０の図１３中左側の端部１１５に合致させている。そして、裏側紙１１２の表面１１２ａには、差出人の個人情報を記入するための個人情報記入用領域１２７、受取人の表示１２５が印刷されている。
前記のハガキ本体部１１３の端部には折り目１２３を介して被覆片１２９が連接している。
一方、図１４に示すように、裏側紙１１２の裏面１１２ｂには、通信欄１３０が印刷されている。
前記裏側紙１１２の表面に印刷された個人情報記入用領域１２７、受取人の表示１２５等を裏面１１２ｂに印刷し、通信欄１３０を表面１１２ａに印刷しても良い。
【００４４】
上記構成の封筒を使用するには、まず、通信販売業者からカタログを封入した隠蔽ハガキ付き封筒１１０が、封筒の表側紙１１１に表示された宛て先１０１の消費者に送付される。消費者が何らかの商品の購入を希望するときは、切り取り線１２１と封筒１１０の左端１１５、右端１１７及び下端１１６の３辺を切り取って、隠蔽ハガキ１２０を封筒１１０から切り離す。
消費者は、購入希望商品に関する事項を裏面１１２ｂの通信欄１３０に、また自己の氏名等の個人情報を個人情報記入用領域１２７に、それぞれ記入した後、図１５に示すように、被覆片１２９を折り目１２３より個人情報記入用領域１２７側に折り返してハガキ本体部１２０に貼着する。
【００４５】
この場合、ハガキ本体部１１３と被覆片１２９とは連接して一体になっているので、差出人は被覆片１２９をハガキ本体部１１３に折り重ねて貼るだけで簡単に個人情報を隠蔽することができる。このようにして個人情報記入用領域１２７に記入された個人情報は読み取られない状態になる。
【００４６】
この実施例から明らかな如く、返信用に使用される隠蔽ハガキ１２０が、往信として差出人に送付された定形封筒１１０の裏側紙１１２を利用して形成することができるので、差出人が隠蔽作業をする手間が簡単な隠蔽ハガキを容易かつ低廉に作成でき、更に、封筒を構成する紙資源の節約及び廃棄ゴミの減少にも資するような隠蔽ハガキ付き封筒を提供することができる。
【実施例６】
【００４７】
図１６は本考案の実施例６に係る隠蔽ハガキ付き封筒の展開図である。
本実施例は前記実施例５の他例であり、実施例５に比べて隠蔽ハガキ１２０を裏側紙１１２の内側に形成してある。実施例５と重複する部分の説明は省略する。
【００４８】
すなわち、本実施例の隠蔽ハガキ１２０は、その端部１２１ａと１２１ｃが封筒１１０の舌片６０ａ，６０ａに重ならないように構成してある。
そして被覆片１２９ａは、封筒１１０の表側紙１１１の裏面に構成されていて、封筒１１０の下端１１６を折り目として隠蔽ハガキ１２０に連接している。
【００４９】
上記構成によれば封筒１１０が消費者に送付された後、消費者が返信する場合は、切り取り線１２１ａ、１２１ｂ、１２１ｃを切り取り、次いで封筒１１０の下端１１６の一部を切り取る。さらに、被覆片１２９ａと隠蔽ハガキ１２０を接続した状態で、切り取り線１２９ａ、１２９ｂ、１２９ｃに沿って被覆片１２９ａを封筒１１０の表側紙１１１から切り離す。
【００５０】
消費者は、隠蔽ハガキ１２０の裏面等に必要な注文等を記入した後、自己の個人情報を個人情報記入用領域１２７に記入する。そして被覆片１２９ａを、折り目である封筒１１０の下端１１６より個人情報記入用領域１２７側に折り返してハガキ本体部１２０に貼着する。
その他の作用、効果は、前記実施例例５と同様であるため省略する。
【図面の簡単な説明】
【００５１】
【図１】本考案の実施例１に係る隠蔽ハガキの正面図
【図２】同隠蔽ハガキにおける被覆片を折り返した状態を示す正面図
【図３】本考案の実施例２に係る隠蔽ハガキ付き広告チラシの要部正面図
【図４】本考案の実施例３に係る隠蔽ハガキ付き新聞の要部正面図
【図５】同隠蔽ハガキ付き新聞における隠蔽ハガキの一部を折り返した状態を示す図
【図６】同隠蔽ハガキ付き新聞における隠蔽ハガキの全部を折り返した状態を示す図
【図７】本考案の実施例４に係る隠蔽ハガキ付き封筒の背面図
【図８】同隠蔽ハガキ付き封筒の正面図
【図９】同隠蔽ハガキ付き封筒より切り取った隠蔽ハガキの正面図
【図１０】同隠蔽ハガキ付き封筒における隠蔽ハガキの一部を折り返した状態を示す正面図
【図１１】同隠蔽ハガキ付き封筒における隠蔽ハガキの全部を折り返した状態を示す背面図
【図１２】本考案の実施例５に係る隠蔽ハガキ付き封筒の正面図
【図１３】同隠蔽ハガキ付き封筒の背面図
【図１４】同隠蔽ハガキ付き封筒より切り取った隠蔽ハガキの背面図
【図１５】同隠蔽ハガキ付き被覆片を折り返した状態を示す正面図
【図１６】本考案の実施例６に係る隠蔽ハガキ付き封筒の展開図
【符号の説明】
【００５２】
１    隠蔽ハガキ
２    ハガキ本体部
３    折り目
５    被覆片
６    受取人の表示
７    個人情報記入用領域
１４    糊代
２０    広告チラシ
２１    広告掲載面
３０    新聞
３１    隠蔽ハガキ
３５    紙面
３９    ハガキ本体部
４０    ハガキ本体部
４１    被覆片
４２    個人情報記入用領域
４４    折り目
４５    受取人の表示
４７    折り目
６０    封筒
６１    表側紙
６２    裏側紙
６５    隠蔽ハガキ
６７    ハガキ本体部
６８    受取人表示片
７０    被覆片
７１    端部
７３    個人情報記入用領域
７６    折り目
７７    受取人の表示
７９    切り取り線
８０    切り取り線
１１０  封筒
１１１  表側紙
１１２  裏側紙
１２０   隠蔽ハガキ
１１３   ハガキ本体部
Ｂ      バーコード
Ｄ      バーコード
【図１】
0003147992.tif 000003
【図２】
0003147992.tif 000004
【図３】
0003147992.tif 000005
【図４】
0003147992.tif 000006
【図５】
0003147992.tif 000007
【図６】
0003147992.tif 000008
【図７】
0003147992.tif 000009
【図８】
0003147992.tif 000010
【図９】
0003147992.tif 000011
【図１０】
0003147992.tif 000012
【図１１】
0003147992.tif 000013
【図１２】
0003147992.tif 000014
【図１３】
0003147992.tif 000015
【図１４】
0003147992.tif 000016
【図１５】
0003147992.tif 000017
【図１６】
0003147992.tif 000018